(57)【特許請求の範囲】
【請求項１】
２つの端部及び紐部からなる紐状部材であり、
前記紐状部材には、
前記紐状部材を交差して環構造を形成するための２つの交差マーク、並びに、
前記環構造内にＡ，Ｂ及びＣの３つの角部マークを有し、
前記環構造を形成した際に、ＡＢ間の長さをａ、ＢＣ間の長さをｂ、ＣＡ間の長さをｃとして、下記式（１）の条件を満たし、
前記長さｂが５．５ｍ、かつ、前記長さｃが１１ｍ、又は、前記長さｂが４ｍ、かつ、前記長さｃが８ｍであることを特徴とするサッカーのフィールド作成用の紐状部材。
式（１）    ａ2＝ｂ2＋ｃ2
【請求項２】
前記角部マークＡ又はＢは、前記交差マークと同じ位置に設けられていることを特徴とする請求項１に記載のサッカーのフィールド作成用の紐状部材。
【請求項３】
環状の紐状部材であり、
環状内にＡ，Ｂ及びＣの３つの角部マークを有し、
ＡＢ間の長さをａ、ＢＣ間の長さをｂ、ＣＡ間の長さをｃとして、
下記式（１）の条件を満たし、
前記長さｂが５．５ｍ、かつ、前記長さｃが１１ｍ、又は、前記長さｂが４ｍ、かつ、前記長さｃが８ｍであることを特徴とするサッカーのフィールド作成用の紐状部材。
式（１）    ａ2＝ｂ2＋ｃ2
【請求項４】
前記角部マークＣの色、形状又は大きさが、前記角部マークＡ及び前記角部マークＢとは異なることを特徴とする請求項１〜３のいずれかに記載のサッカーのフィールド作成用の紐状部材。
【請求項５】
前記Ａ，Ｂ及びＣの３つの角部マークは、リング状部材からなり、
前記紐状部材は、前記リング状部材に回動可能に連結されていることを特徴とする請求項１〜４のいずれかに記載のサッカーのフィールド作成用の紐状部材。
【請求項６】
ＡＢ間の紐、ＢＣ間の紐、及び、ＣＡ間の紐の色が異なることを特徴とする請求項１〜５のいずれかに記載のサッカーのフィールド作成用の紐状部材。
【発明の詳細な説明】
【技術分野】
【０００１】
本発明は、簡易的にサッカーのフィールドを作成することができる紐状部材に関するものである。
【背景技術】
【０００２】
サッカーのフィールドの作成において、タッチライン、ゴールエリア及びペナルティーエリアのラインは、ゴールラインに対して直角方向に引く必要がある（サッカーのフィールドについては、図９（ａ）を参照。）。そのため、ピタゴラスの定理を利用して直角を測定する方法が知られている。
【０００３】
通常、サッカーのフィールドを作成する作業では、３本の巻き尺を用いて、３０ｍ、４０ｍ、５０ｍの３本の巻き尺で直角三角形を形成して直角を測定している。そのため、複数の巻き尺を用意する必要があった。
【０００４】
また、１本の紐状部材を折り曲げて直角三角形を形成する紐状部材が知られている。例えば、特許文献１には、野球のダイヤモンド等の矩形のコートを形成するための矩形区画形成器において、直角三角形を形成する紐が記載されている。特許文献２には、携帯に便利な直角定規であって、直角三角形の辺を構成する帯体Ａ，Ｂ，Ｃを備えた構成が記載されている。特許文献３には、３つの目印点が表示され、各点間の距離比がピタゴラスの定理を満足するように設定された野球用巻き尺が記載されている。
しかし、サッカーのフィールドの作成では、ゴールエリア、ペナルティエリア等、異なる長さを計測する必要がある（図９（ａ）参照。フルコートでは、（１）５．５ｍ、（２）１１ｍ、（３）１６．５ｍであり、少年用のハーフサイズコートでは、（１）４ｍ、（２）８ｍ、（３）１２ｍである。）。従来の直角三角形を形成する紐状部材では、直角を測定することができるが、長さについては別の巻き尺で計測する等、直角の測定とは別に計測する必要があった。
【０００５】
特許文献４には、サッカーのフィールドを作成するための定規であって、ゴールポストの内側から２つの直角二等辺三角形を形成するロープが記載されている。この定規では、直角を測定しつつ、ゴールエリア、ペナルティエリアを大きさを計測できる。
しかし、２つの直角二等辺三角形を形成するため、ロープが分岐しており、絡まりやすく、使用性や収納性が悪いものであった。
【先行技術文献】
【特許文献】
【０００６】
【特許文献１】実開平５−２３００１号公報
【特許文献２】実開平５−２３００２号公報
【特許文献３】実開昭６１−３０８０３号公報
【特許文献４】特開２００２−５８７６７号公報
【発明の概要】
【発明が解決しようとする課題】
【０００７】
本発明の課題は、サッカーのフィールドの作成において、複数本の巻き尺や、分岐したロープを用いることなく、ゴールエリア、ペナルティエリアのラインを簡単に引くことができ、更に、ペナルティーマークの位置を簡単に特定することができる紐状部材を提供することである。
【課題を解決するための手段】
【０００８】
本発明者は、上記課題を鋭意検討した結果、ピタゴラスの定理を満たすように計算された３つのマークを付した紐状部材において、直角をなす２つの辺が、５．５ｍと１１ｍ、又は、４ｍと８ｍとすることにより、１本の紐状部材のみで、直角を測定しつつ、ペナルティエリア、ゴールエリアのラインの長さ、及び、ペナルティマークの位置を計測できることを見いだして、本発明を完成した。
具体的には、以下のサッカーのフィールド作成用の紐状部材を提供するものである。
【０００９】
本発明のサッカーのフィールド作成用の紐状部材は、２つの端部及び紐部からなる紐状部材であり、前記紐状部材には、前記紐状部材を交差して環構造を形成するための２つの交差マーク、並びに、前記環構造内にＡ，Ｂ及びＣの３つの角部マークを有し、前記環構造を形成した際に、ＡＢ間の長さをａ、ＢＣ間の長さをｂ、ＣＡ間の長さをｃとして、下記式（１）の条件を満たし、前記長さｂが５．５ｍ、かつ、前記長さｃが１１ｍ、又は、前記長さｂが４ｍ、かつ、前記長さｃが８ｍであることを特徴とする。
式（１）    ａ2＝ｂ2＋ｃ2
【００１０】
紐状部材の２つの交差マークを交点として環構造を形成した際に、環構造内に設けられた３つの角部マークＡ，Ｂ及びＣは、角部マークＣを直角とする直角三角形を形成する。この直角三角形は、ＢＣ間の長さｂが、ゴールポストの内側からゴールエリアまでの距離、及び、ゴールエリアの縦方向の長さと同じ長さに設定されているため、直角を測定しつつ、ゴールエリアの大きさを計測することができる。
また、ＣＡ間の長さｃは、ゴールエリアからペナルティエリアまでの距離、及び、ゴールラインからペナルティマークまでの距離と同じ長さに設定されているため、直角を測定しつつ、ペナルティエリアの位置、ペナルティマークの位置を計測することができる。
【００１１】
更に、本発明の紐状部材は、前記３つの角部マークＡ，Ｂ又はＣのいずれか一つが、前記交差マークと同じ位置に設けられているという特徴を有することが好ましい。
この特徴により、角部マークＡ，Ｂ又はＣのいずれかが交差マークを併用するため、マークが減り、簡素な構造とすることができる。
【００１２】
更に、本発明の紐状部材は、前記角部マークＡ又はＢが、前記交差マークと同じ位置に設けられているという特徴を有することが特に好ましい。
この特徴により、２つの交差マークの間に、ＢＣとＣＡが連続した紐部を形成することができる。このＢＣとＣＡが連続した紐部は、合計で１６．５ｍの長さを有しており、ペナルティエリアの縦方向の長さと一致する。よって、この紐部の長さを用いて簡便にペナルティエリアの縦方向の長さを測定することができる。
【００１３】
更に、本発明の紐状部材は、前記交差マークの一方が前記２つの端部の一端に設けられ、前記交差マークの他方が前記２つの端部の他端に設けられているという特徴を有してもよい。
この特徴によれば、２つの交差マークが紐状部材の両端に位置しており、紐状部材の両端を連結して環構造を形成するため、直角測定及び各エリアの長さ計測に不要な紐部がなくなり簡素な構造とすることができる。
【００１４】
更に、本発明の紐状部材は、前記交差マークの一方が前記２つの端部の一端に設けられ、前記交差マークの他方が前記紐部に付されているという特徴を有してもよい。
この特徴によれば、長さを延長するための延長領域を設けることができるため、長尺測定用紐状部材としての機能を付加することができる。
【００１５】
また、本発明のサッカーのフィールド作成用の紐状部材は、あらかじめ環状の紐状部材であってもよい。すなわち、本発明の紐状部材は、環状の紐状部材であり、環状内にＡ，Ｂ及びＣの３つの角部マークを有し、ＡＢ間の長さをａ、ＢＣ間の長さをｂ、ＣＡ間の長さをｃとして、下記式（１）の条件を満たし、前記長さｂが５．５ｍ、かつ、前記長さｃが１１ｍ、又は、前記長さｂが４ｍ、かつ、前記長さｃが８ｍであることを特徴とする。
式（１）    ａ2＝ｂ2＋ｃ2
あらかじめ環状の紐状部材とすることにより、環構造を形成する手間を省略することができるため直角三角形を形成する作業が極めて簡易的なものとなる。
【００１６】
更に、本発明の紐状部材は、前記Ａ，Ｂ及びＣの３つの角部マークが、リング状部材からなり、前記紐状部材は、前記リング状部材に回動可能に連結されているという特徴を有することが好ましい。
この特徴によれば、紐状部材を角部マークＡ，Ｂ及びＣで屈曲して直角三角形を形成する際に、リング状部材で回動することができるため、紐状部材を容易に屈曲することができる。
また、リング状部材にペグを貫通させて角部マークＡ，Ｂ及びＣを地面に固定することができる。そのため、直角三角形を形成する際に、複数の作業員により引っ張る必要がなく、一人で直角を測定することができる。
【００１７】
更に、本発明の紐状部材は、前記角部マークＣの色、形状又は大きさが、前記角部マークＡ及び前記角部マークＢとは異なるという特徴を有することが好ましい。
この特徴によれば、直角三角形の直角を形成する角部マークＣの位置がわかりやすいため、直角を測定する作業がより簡易的になる。
【００１８】
更に、本発明の紐状部材は、ＡＢ間の紐、ＢＣ間の紐、及び、ＣＡ間の紐の色が異なるという特徴を有することが好ましい。
この特徴によれば、長さｂであるＢＣ間の紐、及び、長さｃであるＣＡ間の紐が、どの紐であるか一目でわかり、サッカー用のフィールドの作成がより簡易的になる。
【発明の効果】
【００１９】
本発明の紐状部材を用いることにより、複数本の巻き尺や、分岐したロープを用いることなく、直角を測定しつつ、ゴールエリア、ペナルティエリアのラインの長さ、ペナルティーマークの位置を簡単に計測することができる
【図面の簡単な説明】
【００２０】
【図１】本発明の第１の実施例の紐状部材の構成を示す概略説明図である。
【図２】本発明の第２の実施例の紐状部材の構成を示す概略説明図である。
【図３】本発明の第３の実施例の紐状部材の構成を示す概略説明図である。
【図４】本発明の第４の実施例の紐状部材の構成を示す概略説明図である。
【図５】本発明の第５の実施例の紐状部材の構成を示す概略説明図である。
【図６】本発明の第１の実施例の紐状部材を用いて、サッカー用のフィールドを作成する方法を説明するための概略説明図である（ゴールエリアＧＡ、ペナルティエリアＰＡを作成する方法）。工程（１）〜工程（２）。
【図７】本発明の第１の実施例の紐状部材を用いて、サッカー用のフィールドを作成する方法を説明するための概略説明図である（ゴールエリアＧＡ、ペナルティエリアＰＡを作成する方法）。工程（３）〜工程（４）。
【図８】本発明の第１の実施例の紐状部材を用いて、サッカー用のフィールドを作成する方法を説明するための概略説明図である（ペナルティマークＰＭを作成する方法）。
【図９】サッカーのフィールド及びゴールの各部の名称を説明するための概略説明図である。（ａ）サッカー用のフィールドを上空から見た図である。（ｂ）サッカー用のゴールの正面図である。
【発明を実施するための形態】
【００２１】
以下、図面を参照しつつ本発明に係る紐状部材、及び、これを用いた直角の測定方法の実施形態を詳細に説明する。
【００２２】
図１は、本発明の第１の実施例の紐状部材１１の構成を示す概略説明図である。
紐状部材１１は、端部２，２’を有する紐部３からなる紐状部材である。端部の一端（端部２側）には、この紐状部材を交差させて環構造を形成する際に、交差点となる目印として交差マークＸ１が設けられ、端部の他端（端部２’側）には、もう一方の交差点となる目印として交差マークＸ２が設けられている。
【００２３】
また、紐状部材１１には、角部マークＡ、角部マークＢ、角部マークＣの３点が付されており、交差マークＸ１と交差マークＸ２を交差させて環構造を形成すると、角部マークＡと角部マークＢの間の長さａ、角部マークＢと角部マークＣの間の長さｂ、角部マークＣと角部マークＡの間の長さｃは、下記式（１）を満たすように構成されている。
式（１）    ａ2＝ｂ2＋ｃ2
【００２４】
なお、第１の実施例の紐状部材１１の寸法は、長さｂが５．５ｍ、長さｃが１１ｍ、長さａが１２．３ｍ（５．５×ルート５）である。
【００２５】
第１の実施例の紐状部材１１では、交差マークＸ１の位置は、端部２に設けられ、交差マークＸ２は、端部２’に設けられているが、これらの２つの交差マークは、端部、紐部のいずれに設けてもよい。なお、交差マークを端部に設けると、交差マークを付す加工を省略でき、また、マーク数が減るため紐状部材が簡素な構造となる等の効果がある。
【００２６】
２つの交差マークを、紐状部材の両端に設けた場合には、本発明の紐状部材が極めて簡素な構造となるため、使用しやすく作業性に優れた紐状部材を提供することができる。
また、２つの交差マークの一方を端部の一端に設け、交差マークの他方を紐部に設けた場合には、紐状部材の他端側に、紐状部材の長さを延長するための延長領域を設けることができるため、長尺測定用の機能を付加することができる。
【００２７】
また、第１の実施例の紐状部材１１では、交差マークＸ１と角部マークＢが同じ位置に設けられている。これにより、交差マークＸ１と角部マークＢを１点にまとめることができるため、マークを印刷する工程を省略することができ、さらには、紐状部材にマークが減るため簡素な構造とすることができる。
なお、１つの交差マークと同じ位置に設けることができる角部マークは、Ａ，Ｂ又はＣのいずれでもよい。
【００２８】
さらに、交差マークＸ１と角部マークＢを同じ位置に設けることにより、紐部ＢＣ（５．５ｍ）と紐部ＣＡ（１１ｍ）が連結して構成され、角部マークＢから角部マークＡまでの長さが１６．５ｍとなる。１６．５ｍは、ペナルティエリアの縦ラインと同じ長さであるため、ペナルティエリアの縦ラインの長さの計測を簡便に行うことができる（図７（４）参照。）。なお、交差マークの一つと同じ位置に設ける角部マークをＡとしても同じ効果を奏する。
【００２９】
紐状部材の材質は、屈曲可能であり、引張力を加えてもほとんど伸縮しない材質である。例えば、ポリファイバー等の樹脂材料、グラスファイバー等のガラス繊維材料、金属、布等からなる。金属製のものは、作業の際に手を切る等の危険性があり、布製のものは、引張強度を高めるために多数の糸を編み込む必要があり、重量が重くなってしまう。そのため、安全性が高くかつ軽量な樹脂材料、ガラス繊維材料が好ましい。ガラス繊維材料は、温度変化による伸縮も少ないため特に好ましい。
【００３０】
紐状部材の形状は、どのような形状でもよいが、例えば、帯状、円柱状、角柱状、チェーン状のものがある。マークを印刷する加工がしやすく、また、長尺寸法測定用目盛りが見やすいという観点から、帯状のものが好ましい。
【００３１】
交差マークＸ１、Ｘ２、角部マークＡ、Ｂ、Ｃは、位置が分かればどのような構成でもよく、インク等の塗料の他、クリップ、縫い目、タグ等でもよい。また、各マークの位置を紐状部材の端部２又は２’とする場合には、マークを省略することもできる。
また、２つの交差マークは、それぞれを連結する連結部材で構成してもよい。
【００３２】
角部マークＡ、Ｂ、Ｃは、地面に固定できる固定部材であることが好ましい。固定部材は、ペグ等のように直接固定する部材の他、リング状部材等のように、別に用意したペグを用いて間接的に固定する部材でもよい。角部マークを固定部材とすることにより、直角を測定する際に、複数の作業員で直角三角形を形成する必要がない。
【００３３】
固定部材としては、リング状部材であることが好ましい。リング状部材とすることにより、簡素な固定部材とすることができる。
さらに、紐状部材を、リング状部材の周縁を回動可能に連結することにより、角部マークＡ、Ｂ、Ｃの位置で容易に屈曲することができる。
【００３４】
また、交差マークの一つを、リング状部材の角部マークと同じ位置に設定した場合には、もう一つの交差マークもリング状部材とすることが好ましい。これにより、２つの交差マークにペグを貫通させて、簡単に連結することができる。
【００３５】
リング状部材の形状は、円形状、多角形状など、どのような形状でもよい。回動の容易性の観点から円形状であることが好ましい。
なお、リング状部材の材質は、引張強度に優れている材料であればどのようなものでもよく、例えば、樹脂や金属等が挙げられる。
【００３６】
交差マークＸ１、Ｘ２、角部マークＡ、Ｂ、Ｃは、異なる色や形状とすることが好ましく、直角を形成する角部マークＣのみを他のマークとは異なる色や形状とすることが特に好ましい。角部マークＣを異なる色や形状とすることにより、直角となる角部マークが一目で分かるため作業性に優れた紐状部材を提供することができる。
リング状部材で異なる形状のものを使用する場合には、紐部ＢＣ及び紐部ＣＡが直角を形成し易いように、角部マークＣは正四角形であることが好ましい。
【００３７】
また、ＡＢ間の紐部、ＢＣ間の紐部、及び、ＣＡ間の紐部の色は、異なる色とすることが好ましい。これにより、各紐部がどの長さであるのかが一目で分かるため、作業性に優れた紐状部材を提供することができる。
【００３８】
その他、本発明の紐状部材は、長尺寸法測定用目盛りを付すことが好ましい。長尺寸法用目盛りを付す場合には、各角部マーク間の寸法と、端部からの総寸法の両方を付すことが好ましい。なお、寸法は、メートル法、ヤード・ポンド法のいずれで表示してもよい。
【００３９】
さらに、紐状部材１１には、角部マークＡから交差マークＸ２方向９．１５ｍの位置にアーク用マークＱが印されている。フルコートでは、ペナルティアーク及びセンターサークルの半径が９．１５ｍである。アーク用マークＱを設けることにより、本発明の紐状部材を用いて簡単にペナルティアーク及びセンターサークルを描くことができる。
アーク用マークＱは、角部マークＡ，Ｂ又はＣ、交差マークＸ１，Ｘ２のいずれかのマークを基準としてもよいが、第１の実施態様のように、角部マークＡから交差マークＸ２（端部２’）方向９．１５ｍの位置に設けることが好ましい。この構成によると、ペナルティマークの位置決めを行った後、そのまま角部マークＡを軸として、ペナルティアークを描くことができるため、作業性に優れている。
なお、サッカーのフィールドにおいて、センターサークルの半径、ペナルティアークの半径の寸法は、１１人制（フルコート）では９．１５ｍ、８人制（ハーフサイズコート）では７ｍである。
【００４０】
また、紐状部材１１には、角部マークＣから角部マークＢ方向３．６６ｍの位置にゴール中心測定用マークＰが印されている。３．６６ｍは、フルコートサイズのゴールの大きさ（ゴールポスト間の距離７．３２ｍ）の１／２に相当する。すなわち、ペナルティマークの位置決めをする際に、マークＰをゴールポストの内側の位置に合わせることにより、角部マークＣをゴールの中心に設置することができる。
なお、ハーフコートサイズのゴールの大きさ（ゴールポスト間の距離５ｍ）の場合には、角部マークＣから角部マークＢ方向２．５ｍの位置にマークＰを付せばよい。
【００４１】
図２は、本発明の第２の実施例の紐状部材１２の構成を示す概略説明図である。
紐状部材１２では、交差マークＸ１が端部２に設けられ、交差マークＸ２が紐部３に付された構成である。この構成では、交差マークＸ２から端部２’に延長領域４を備えており、長尺の寸法を測定することができる。
【００４２】
角部マークＢは、交差マークＸ１と同じ位置となるように構成され、角部マークＢ（端部２）と角部マークＣの長さは５．５ｍであり、角部マークＣと角部マークＡの長さは１１ｍである。端部２から端部２’までの総寸法は５０ｍである。
なお、図示しないが、角部マークＢから角部マークＣまでの寸法、角部マークＣから角部マークＡまでの寸法について目盛りを付している。さらに、これらの寸法とは別に端部２から端部２’までの総寸法についても目盛りを付している。
また、角部マークＣと角部マークＡ間の紐部には、角部マークＣから９．１５ｍの位置にアーク用マークＱを付している。
【００４３】
角部マークＢ（交差マークＸ１）、角部マークＡ、交差マークＸ２は、円形のリング状部材５で構成され、角部マークＣは、正方形のリング状部材５’で構成されている。これにより、直角三角形を形成する際に、直角三角形の直角を形成する角部マークＣを一目で分別できる。
さらに、各マークにおいて、紐状部材はリング状部材に対して回動可能に連結されている。この構成により、直角三角形を形成する際に、角を容易に折り曲げることができる。
【００４４】
その他、角部マークＢと角部マークＣ間の紐部、角部マークＣと角部マークＡ間の紐部の色をそれぞれ異なるものとしている。例えば、角部マークＢと角部マークＣ間の紐部を赤色、角部マークＣと角部マークＡ間の紐部を黄色、角部マークＡから端部２’までの紐部を白色で構成する。これにより、５．５ｍの紐部（端部２から角部マークＣ間）、１１ｍの紐部（角部マークＣから角部マークＡ間）が一目で分別することができる。
【００４５】
図３は、本発明の第３の実施例の紐状部材１３の構成を示す概略説明図である。
紐状部材１３は、環状の紐状部材により構成されている態様である。環状部材には、ピタゴラスの定理を満たすように３つの角部マークＡ，Ｂ及びＣが付されている。
また、ＢＣ間の紐部の長さは５．５ｍ、ＣＡ間の紐部の長さは１１ｍに設定されている。
この態様は、極めて簡単な構造であり、直角を測定する際には、紐状部材を交差する必要もなく、３つの角部マークＡ，Ｂ及びＣをそれぞれ引っ張る作業のみで直角三角形を作ることができる。
【００４６】
図４は、本発明の第４の実施例の紐状部材１４の構成を示す概略説明図である。
紐状部材１４では、第３の実施例の紐状部材の３つの角部マークＡ，Ｂ及びＣを円形のリング状部材５とし、紐状部材は、リング状部材５に回動可能に連結されている。
この態様では、極めて簡単な構造であり、さらに、紐状部材がリング状部材に回動可能に連結されていることから、直角三角形を形成する際に、容易に角を形成することができる。
【００４７】
図５は、本発明の第５の実施例の紐状部材１５の構成を示す概略説明図である。
紐状部材１５は、環状の紐状部材により構成され、角部マークＡ及びＢは円形のリング状部材５であり、角部マークＣは正方形状のリング状部材５’である。紐状部材は、リング状部材５、５’に回動可能に連結されている。
さらに、角部マークＢと角部マークＣ間を長さ５．５ｍの赤色の紐部、角部マークＣと角部マークＡ間を長さ１１ｍの黄色の紐部、角部マークＣと角部マークＢ間を長さ１２．３ｍ（５．５ｍ×ルート５）の白色の紐部で構成している。
この態様では、直角三角形の直角の角となる角部マークＣが一目で分別できる。また、ゴールエリアの大きさに相当する角部マークＢと角部マークＣ間の紐部、ペナルティマークの距離に相当する角部マークＣと角部マークＡ間の紐部についても簡単に見分けることができる。
【００４８】
図６、図７は、直角の測定方法の一例として、第１の実施例の紐状部材１１を用いてサッカー用のフィールドを作成する方法を説明する概略説明図である。詳しくは、サッカー用のフィールドのゴールエリアＧＡ、ペナルティエリアＰＡの作成方法である。
具体的には、次の第１の工程〜第６の工程により、ゴールエリアＧＡ及びペナルティエリアＰＡを作成する。
【００４９】
第１の工程（１）では、角部マークＢ（交差マークＸ１）をゴールポストＧＰの内側の位置で押さえて、角部マークＡを引っ張りゴールラインＧＬ上に沿って紐状部材１１を配置する。
【００５０】
第２の工程（２）では、角部マークＣ及びＡを地面に固定して押さえた状態で、角部マークＢ（交差マークＸ１）及び交差マークＸ２を引っ張って交差し、直角三角形を形成する。次に、角部マークＢ（交差マークＸ１）と角部マークＣ間の紐部に沿って石灰等のラインマーカーでゴールエリアＧＡのラインを引く。
【００５１】
第３の工程（３）では、角部マークＡを、ゴールエリアＧＡとゴールラインＧＬとの交点の位置で押さえて、角部マークＣを引っ張りゴールラインＧＬ上に沿って紐状部材１１を配置する。
次に、第１の工程と同様に直角三角形を形成し、角部マークＢ（交差マークＸ１）と角部マークＣ間の紐部に沿って、ペナルティエリアＰＡのラインの一部を引く。
【００５２】
第４の工程（４）では、角部マークＡを、ペナルティエリアＰＡとゴールラインＧＬとの交点の位置で押さえて、角部マークＢ（交差マークＸ１）を引っ張り、第３の工程で引いたペナルティエリアＰＡのライン上に沿って紐状部材１１を配置する。
そして、第３の工程で引いたペナルティエリアＰＡのラインを角部マークＢ（交差マークＸ１）まで延長するようにラインを引く。
【００５３】
第５の工程では（図示しない）、反対のゴールポストＧＰ側で同様に、第１の工程〜第４の工程を行う。
【００５４】
第６の工程では（図示しない）、第１の工程〜第５の工程により得られた２本のゴールエリアＧＡのラインの端部同士を結ぶ直線、２本のペナルティエリアＰＡのラインの端部同士を結ぶ直線をそれぞれ引く。
以上の工程に示したように、巻き尺等によりゴールエリアＧＡやペナルティエリアＰＡの長さを計測しなくても、ゴールエリアＧＡ及びペナルティエリアＰＡを簡単に作成することができる。
【００５５】
図８は、直角の測定方法の別の例として、第１の実施例の紐状部材１１を用いてペナルティマークＰＭの作成方法を説明する概略説明図である。
ペナルティマークＰＭの作成方法は、角部マークＢ（交差マークＸ１）と角部マークＣを引っ張りながらゴールラインＧＬ上に沿って紐部ＢＣを配置する。このとき、マークＰがゴールポストの内側の位置に配置されるように位置を調整する。これにより、角部マークＣがゴールＧの中心の位置に設置される。
【００５６】
次に、交差マークＸ２を角部マークＢ（交差マークＸ１）の位置に合わせて押さえ、更に角部マークＣを押さえながら、角部マークＡを引っ張り直角三角形を形成する。
そして、角部マークＡの位置に石灰等のラインマーカーでペナルティマークＰＭを付ける。
【００５７】
さらに、角部マークＡをペナルティマークＰＭの位置で押さえ、アーク用マークＱを持ってペナルティアークを引く。
このように、本発明の紐状部材を用いることにより、ペナルティマークＰＭの正確な位置が簡単に特定され、ペナルティアークも簡単に引くことができる。
【産業上の利用可能性】
【００５８】
本発明のサッカーのフィールド作成用の紐状部材は、サッカーのゴールエリア、ペナルティエリアのライン引き、及び、ペナルティマークの位置決め等、サッカーのフィールドを作成に特に有用である。
【００５９】
また、単に直角を測定する作業として、野球、ソフトボール、ラグビー等のフィールド、テニス、バスケットボール、バレーボール等のコート、駐車場等の矩形区画の作成に利用してもよい。
【符号の説明】
【００６０】
１１，１２，１３，１４，１５  紐状部材、２，２’  端部、３  紐部、４  延長領域、５，５’  リング状部材、Ａ，Ｂ，Ｃ  角部マーク、Ｘ１，Ｘ２  交差マーク、Ｐ  ゴール中心測定用マーク、Ｑ  アーク作成用マーク、Ｆ  フィールド、Ｇ  ゴール、ＧＬ  ゴールライン、ＧＡ  ゴールエリア、ＰＡ  ペナルティエリア、ＰＭ  ペナルティマーク、ＧＰ  ゴールポスト
【要約】      （修正有）【課題】サッカーのフィールドの作成において、複数本の巻き尺や、分岐したロープを用いることなく、ゴールエリア、ペナルティエリアのラインを簡単に引くことができ、更に、ペナルティーマークの位置を簡単に特定することができる紐状部材を提供する。【解決手段】３つの角部マークＡ、Ｂ、Ｃを付した紐状部材１１において、角部マークＡと角部マークＢ間の長さをａ、角部マークＢと角部マークＣ間の長さをｂ、角部マークＣと角部マークＡ間の長さをｃとして、それぞれの長さがピタゴラスの定理を満たすように計算されており、長さｂが５．５ｍ、かつ、長さｃが１１ｍ、又は、長さｂが４ｍ、かつ、長さｃが８ｍである。【選択図】図１【図１】
0005801975.tif 000002
【図２】
0005801975.tif 000003
【図３】
0005801975.tif 000004
【図４】
0005801975.tif 000005
【図５】
0005801975.tif 000006
【図６】
0005801975.tif 000007
【図７】
0005801975.tif 000008
【図８】
0005801975.tif 000009
【図９】
0005801975.tif 000010